(57)【特許請求の範囲】
【請求項１】
複数の押しボタン（１４）がホルダケース（６）の表面側に出退自在に設けられ、その押しボタン（１４）を押動操作すると、元の非押動操作位置から前記ホルダケース（６）の裏面側へ移動してその仮固定位置に仮固定される複数種類のタンブラ（１５Ａ〜１５Ｃ）が同ケース（６）内に前記各押しボタン（１４）に対応して設けられ、仮固定されたタンブラを元の非押動操作位置に戻すためのクリアタンブラ（１５Ｄ）が前記ホルダケース（６）内に設けられ、前記複数種類のタンブラ（１５Ａ〜１５Ｃ）の移動方向と直交する方向に移動自在なスライダ（２０）が前記ホルダケース（６）内に設けられ、予め設定しておいた幾つかの解錠用のタンブラ（１５Ａ，１５Ｂ）を前記押しボタン（１４）で押動操作することにより、施錠位置に付勢されている前記スライダ（２０）の解錠位置への移動が許容される押しボタン施錠装置において、
前記タンブラ（１５Ａ〜１５Ｃ）を挟み込みながら前記ホルダケース（６）の裏面側へ移動させる押し込み機構（４７）が前記各押しボタン（１４）に設けられており、この押し込み機構（４７）は、タンブラ（１５Ａ〜１５Ｃ）の幅方向両縁部にそれぞれ当接する先端部を有する板バネ材よりなる左右一対の押し込みアーム（４９Ｌ，４９Ｒ）を備え、
前記押しボタン（１４）が押動操作されていないときに前記押し込みアーム（４９Ｌ、４９Ｒ）を股開き状に広げておくための退避部材（５１）が前記ホルダケース（６）内に設けられ、この退避部材（５１）には、前記各アーム（４９Ｌ、４９Ｒ）が挿通される左右一対のガイド孔（５３）が形成されており、
前記左右の押し込みアーム（４９Ｌ、４９Ｒ）が互いに向き合う対向面にカム突起（５５）が形成されていて、前記押しボタン（１４）が押動操作されていないときに前記カム突起（５５）が前記ガイド孔（５３）の内部に位置して前記押し込みアーム（４９Ｌ、４９Ｒ）を前記タンブラ（１５Ａ〜１５Ｃ）の幅方向外側に押し広げるように構成されていることを特徴とする押しボタン施錠装置。
【請求項２】
前記押し込みアーム（４９Ｌ、４９Ｒ）の先端部には、前記ガイド孔（５３）に対する抜け止めのための頭部（５４）が形成されていることを特徴とする請求項１に記載の押しボタン施錠装置。
【発明の詳細な説明】
【０００１】
【発明の属する技術分野】
本発明は、ホルダケースに設けた所定の押しボタンを押動操作することによってロック機構を解除（解錠）するようにした押しボタン施錠装置に関する。
【０００２】
【従来の技術】
従来、上記押しボタン施錠装置として、複数の押しボタンをホルダケースの表面側に出退自在に設け、その押しボタンを押動操作するとホルダケースの裏面側へ移動してその位置に仮固定されるタンブラを同ケース内に各押しボタンに対応して設け、この各タンブラの移動方向と直交する方向に移動自在なスライダをホルダケース内に設け、予め設定しておいた幾つかの解錠用のタンブラを押しボタンで押動操作することにより、ホルダケース内に設けたロック機構を解除するようにしたものがある（実公平２−４０２０６号公報、実公平３−５４２８１号公報、特公平３−７８４６７号公報、特開平９−２５６６９５号公報参照）。
【０００３】
この場合のロック機構は、各タンブラの幅方向一側に係合する凸部を内周側に有する枠板状のスライダをホルダケース内にタンブラ移動方向と直交する方向へ移動自在に設け、ドアノブ（ドアハンドルでもよい。）の回動をこのスライダの移動に連動させることによって構成されている。また、各タンブラの幅方向一側には、スライダの凸部と係脱するためのロック部と解除溝が押動方向で異なる位置に形成されている。
このため、所定の解錠用のタンブラのみが押動操作されると、すべてのタンブラとスライダの凸部との係合が解かれてスライダが移動自在となり、これによってロックが解除されてドアノブの回動が許容されるが、それ以外の場合は、いずれかのタンブラの幅方向一側がスライダの凸部と係合し、これによってスライダの移動が規制されてドアノブが回動できなくなり施錠状態となる。
【０００４】
一方、上記各タンブラとこれとは別に設けたクリアタンブラは戻しバネによってすべてホルダケースの表面側に付勢されており、ホルダケース内には、解錠用及び非解錠用の各タンブラの幅方向他側に係合して同タンブラを押動操作位置に保持する位置決め用バネを有するクリア作動体がスライダと同じ上下方向に移動自在に設けられている。
このクリア作動体は、縦二列に配列された各押しボタン及びタンブラの間に挿通されていて、解錠用及び非解錠用の各タンブラの幅方向で相対向する縁部には、前記位置決めバネと係合するための係止部が形成されている。
【０００５】
また、クリアタンブラの縁部にはクリア作動体を移動させるためのカム片が形成され、クリア作動体の下端にはそのカム片が当接する傾斜カム面が形成されている。このため、クリアボタンを押動操作すると、クリアタンブラが上方へ移動して位置決めバネが解錠用及び非解錠用の各タンブラから離脱し、押動操作されていたすべてのタンブラが非押動操作位置に復帰するようになっている。
【０００６】
【発明が解決しようとする課題】
上記従来の押しボタン施錠装置では、ホルダケースの裏面側に向かって押動操作された各押しボタンをタンブラの両肩部に直接当接させてそのタンブラを同ケースの裏面側へ押し込むようにしているので、例えば押しボタンの中心部から外れた位置を押動したような場合には、その押動力がタンブラの中心から外れた片方の肩部に対して集中的に偏って伝達されることがある。
このため、従来の押しボタン施錠装置では、押しボタンをホルダケースの表裏方向に沿って正確かつ強い力で押動操作しないと、タンブラがホルダケース内で拗れてしまって当該タンブラを押し込むことができない場合があり、この点で、押しボタンによる解錠作業が繁雑であるという欠点があった。
【０００７】
本発明は、このような実情に鑑み、押しボタンの押動操作に伴うタンブラの拗れを解消できるようにして、比較的軽いタッチで押しボタンによる押動操作を行うことができる押しボタン施錠装置を提供することを目的とする。
【０００８】
【課題を解決するための手段】
上記目的を達成すべく、本発明は次のような技術的手段を講じた。
すなわち、本発明は、前記した押しボタン施錠装置において、タンブラを挟み込みながらホルダケースの裏面側へ移動させる押し込み機構が各押しボタンに設けられていることを特徴とする。
かかる本発明によれば、各押しボタンに設けられた押し込み機構がタンブラを挟み込みながらホルダケースの裏面側へ移動させるので、例えば押しボタンの中心部から外れた位置を押動したり、押しボタンをホルダケースの表裏方向からややずれた方向に押動したような場合でも、その押動力がタンブラの中心から外れた一部に偏って集中的に伝達されることがなくなり、押しボタンの押動操作に伴うタンブラの拗れを解消することができる。
【０００９】
本発明において、上記押し込み機構は、タンブラをその幅方向両側から挟み込むものや、その厚さ方向両側から挟み込むものうちのいずれの機構を採用することもできる。もっとも、前記したタンブラに対する偏心的な押動力の伝達は、当該タンブラに対する押しボタンからの押動力の作用点が中心から幅方向にずれることによって生じることが多いため、タンブラをその幅方向両側から挟み込む押し込み機構を採用することが好ましい。
そして、かかる押し込み機構は、具体的には、タンブラの幅方向両縁部にそれぞれ当接する先端部を有する板バネ材よりなる左右一対の押し込みアームより構成することができる。この場合、かかる板バネ材よりなる左右一対の押し込みアームの先端部がタンブラの幅方向両縁部にそれぞれ当接するため、押しボタンの押動力によって当該タンブラが幅方向に転ぶのが防止又は抑制され、押しボタンの押動操作に伴うタンブラの拗れをより有効に解消することができる。
【００１０】
また、本発明は、前記押しボタンが押動操作されていないときに押し込み部材を股開き状に広げておくための退避部材を備え、この退避部材には、前記各アームが挿通される左右一対のガイド孔が形成されており、前記左右の押し込みアームが互いに向き合う対向面にカム突起が形成されていて、前記押しボタンが押動操作されていないときに前記カム突起が前記ガイド孔の内部に位置して前記押し込みアームを前記タンブラの幅方向外側に押し広げるように構成されていることが望ましい。
【００１１】
また、前記押し込みアームの先端部には、前記ガイド孔に対する抜け止めのための頭部が形成されていることが望ましい。
【００１２】
【発明の実施の形態】
以下、図面を参照しつつ、本発明の実施の形態について説明する。
図１〜図１０は、本発明の第一実施形態に係る押しボタン施錠装置１を例示しており、この押しボタン施錠装置１は玄関ドア２をロックするための施錠装置として採用されている。
図７に示すように、本実施形態の施錠装置１はドア２の室外側面に固定されている。このドア２は、その自由端部の端面より出退するドアラッチ（図示せず）を備えており、このドアラッチはドア枠に設けたラッチ受け金具に対して係脱自在となっている。
【００１３】
ドア２の室内側面における上記施錠装置１と対応する位置には操作機構３が設けられている。この操作機構３は、ドア２の室内側に取り付けられた縦長の方形盆状を呈する飾り蓋４と、この飾り蓋４の下部に回転自在に設けられた室内ノブ５よりなる操作部材（レバーでもよい。）とから構成されている。
図７〜図１０に示すように、室外側に設けられた押しボタン施錠装置１は、ドア２の室外側に取り付けられた裏面側が開放された縦長箱状を呈するホルダケース６と、このケース６の下端部に回転自在に装着された室外ノブ７よりなる操作部材（レバーでもよい。）とを備えており、飾り蓋４とホルダケース６とは、ドア２を室内側から貫通する取付ボルト８によってドア２の室内外で対応する位置に固定されている。
【００１４】
上記ホルダケース６は、室内側の飾り蓋４とほぼ同じ外周形状の裏面側が開放された金属製の中空部材よりなり、押しボタン施錠装置１に必要な構造部材はすべて当該ホルダケース６内に組み込まれている。室内ノブ５と室外ノブ７とは同軸心状に配置されており、ドア２を貫通するラッチ駆動軸９を介して互いに連動連結されている。
このラッチ駆動軸９は偏平な長尺板状であり、その室内側端部は室内ノブ５のボス部に嵌合され、同駆動軸９の室外側端部は、ホルダケース６内における室外ノブ７の内側に同軸心状に固定した駆動ピニオン１０に挿通されている。このため、これらのノブ５，７によってラッチ駆動軸９を左右いずれかの方向に回すと、ドアラッチをドア２の内部に引き込めるようになっている。
【００１５】
ラッチ駆動軸９は駆動ピニオン１０の扇形孔１１（図８及び図１０参照）に回転方向で遊びをもって挿通されていて、後述するロック機構１３が施錠状態にあるときはそのピニオン１０の回動が規制されて室外ノブ７の解錠方向の回動が不能となり、同ロック機構１３が解錠されるとそのピニオン１０の回動が許容されて室外ノブ７の解錠方向の回動が可能となる。
本実施形態の押しボタン施錠装置１は、ホルダケース７の表面側に出退自在に設けられた複数個（本実施形態では合計九個）の押しボタン１４と、その各押しボタン１４を押動操作することによってホルダケース７の裏面側へ移動するように当該各押しボタン１４に対応して配置された複数個のタンブラ１５とを備えており、予め設定しておいた幾つかの解錠用のタンブラ１５Ｂ，１５Ｃを押しボタン１４によってホルダケース６の裏面側へ移動させることにより、ホルダケース６内のロック機構１３が解除されるようになっている。
【００１６】
上記ホルダケース６内のロック機構１３は、図１〜図４に示すように、上下方向（ホルダケース６の長手方向）に長いクリア作動体１６の案内溝１７とこの案内溝１７に隣接して上下方向に等間隔おきに並ぶ複数のタンブラ挿通孔１８を有する基台１９と、この基台１９の室外側（図１の上側）に摺動可能に重合されたスライダ２０と、このスライダ２０の室外側に重合されたタンブラ支持台２１と、基台１９の裏面側に形成された開口部２２を着脱自在に閉鎖する裏蓋２３とを備えている。
【００１７】
基台１９の各タンブラ挿通孔１８には、前記複数のタンブラ１５がそれぞれ表裏方向（室内外方向）に移動自在となるように挿通されており、この各タンブラ１５はタンブラ支持台２１側に設けたタンブラ挿通孔２４（図５参照）にもそれぞれ挿通されている。
図８に示すように、スライダ２０は、すべてのタンブラ挿通孔１８を取り囲む（従って、すべてのタンブラ１５を取り囲む）程度の大きさを有する板状枠体よりなり、基台１９の内部にその長手方向（図８の上下方向）に移動自在に設けられている。このスライダ２０の上端部左右両側に形成した突片にはそれぞれ圧縮バネ２５が嵌合され、この各圧縮バネ２５の上端を基台１９の上端板１９Ａに当接させることにより、当該スライダ２０が常時下方に付勢されている。
【００１８】
なお、このスライダ２０の枠形状は、その一部が切り欠かれた不連続な形状であってもよい。スライダ２０の枠内側の片側縁部には、各タンブラ１５の幅方向一側縁部に係脱して当該スライダ２０の移動を規制又は許容する凹部２６と凸部２７が当該スライダ２０のスライド方向に連続して形成されている。
本実施形態では、各押しボタン１４に対応して設けられるタンブラ１５は、押動操作されない状態においてスライダ２０の移動を許容する非解錠用のタンブラ１５Ａ（図６（ａ）及び（ｂ）参照）と、一回だけ押動操作されることでスライダ２０の移動を許容する第一の解錠用のタンブラ１５Ｂ（図６（ｃ）及び（ｄ）参照）と、二回だけ押動操作されることでスライダ２０の移動を許容する第二の解錠用のタンブラ１５Ｃ（図６（ｅ）及び（ｆ）参照）と、前記クリア作動体１６を作動させるためのクリアタンブラ１５Ｄ（図８参照）との、合計四種類が用意されている。
【００１９】
なお、これらの各タンブラ１５Ａ〜１５Ｄは、これに対応する押しボタン１４とともに、ホルダケース６の中央部に縦一列に配置されており、クリアタンブラ１５Ｄとこれに対応するクリアボタン１４Ｄ（クリアタンブラ１５Ｄを押動操作するための押しボタン１４）は最下段に配置されている。また、図６に示すように、非解錠用、第一の解錠用及び第二の解錠用の各タンブラ１５Ａ〜１５Ｃの幅方向中央部には、基台１９に対する挿入方向の誤認を防止するためのガイドピン２８が突設されている。
【００２０】
基台１９の案内溝１７には、前記クリア作動体１６がスライダ２０の移動方向と同じ上下方向に摺動自在に設けられている。このクリア作動体１６は、図８に示すように、押しボタン１４によって押動された各タンブラ１５をその押動操作位置に保持しておくための細い板バネ状の位置決めバネ２９をその長手方向に所定間隔おきに有している。また、このクリア作動体１６は、同作動体１６の上端と基台１９の上端板１９Ａとの間に介装した下降バネ３０によりスライダ２０とは独立して常時下方に付勢されている。
【００２１】
また、図８に示すように、クリア作動体１６は、その下端がスライダ２０の下辺部２０Ａに当接するように、当該スライダ２０の枠内に配置されている。従って、スライダ２０が上方（解除方向）へ移動すると、これと連動してクリア作動体１６も上方に移動し、各位置決めバネ２９がそれぞれタンブラ１５から離脱するようになっている。
図７及び図８に示すように、前記駆動ピニオン１０の上方には、このピニオン１０に噛合して室内外方向の支軸３１回りに回動するセクタギア３２が設けられており、このセクタギア３２の左右両端部に固定した解除ピン３３がスライダ２０の下端縁に当接している。このため、スライダ２０の上方移動が規制された施錠状態のときは、スライダ２０の下端縁に当接している解除ピン３３によりセクタギア３２を回動できず、室外ノブ７も回動することができない。逆に、スライダ２０の上方移動が許容された解錠状態のときは、解除ピン３３がセクタギア３２の支軸３１回りに回動でき、室外ノブ７の回動も許容される。
【００２２】
セクタギア３２の支軸３１の室外側には、室外ノブ７にねじ止めされた軸受け３４がスプライン嵌合されている。この軸受け３４の外周部には図示しない巻きバネが巻き付けられていて、この巻きバネの弾性力によって回動操作後の室外ノブ７が原状に復帰するようになっている。
図９に示すように、本実施形態では、ホルダケース６の表面における各押しボタン１４の左右両側に、当該各押しボタン１４に対応して「１」〜「８」のアラビア数字と「Ｃ」の英文字が刻印されている。これらの数字と英文字のうち、番号「１」〜「８」に対応する押しボタン１４には、前記した非解錠用のタンブラ１５Ａ、第一の非解錠用のタンブラ１５Ｂ及び第二の解錠用のタンブラ１５Ｃのうちのいずれか一つを対応させている。また、最下段に位置する記号「Ｃ」に対応する押しボタン１４（クリアボタン１４Ｄ）には、前記クリアタンブラ１５Ｄを対応させている。
【００２３】
図１〜図４及び図６に示すように、クリアタンブラ１５Ｄ以外の解錠用及び非解錠用の各タンブラ１５Ａ〜１５Ｃの幅方向一側の縁部には、スライダ２０の凸部２７の通過を規制するロック部３５と、同凸部２７の通過を許容する解除溝３６とが形成されている。他方、上記各タンブラ１５Ａ〜１５Ｃの幅方向他側の縁部には、上辺がほぼ水平な三角形状を呈する合計三つの係止突起３７Ａ〜３７Ｃがホルダケース６の表裏方向に所定間隔をおいて形成されており、これら三つの係止突起３７Ａ〜３７Ｃの相互間に形成される三角形状の溝部分により、位置決めバネ２９の先端掛止部２９Ａに掛止される合計二つの係止部３８Ａ，３８Ｂがホルダケース６の表裏方向に離れて形成されている。
【００２４】
すなわち、本実施形態の各タンブラ１５Ａ〜１５Ｃでは、上記三つの係止突起３７Ａ〜３７Ｃと二つの係止部３８Ａ，３８Ｂとが当該タンブラ１５Ａ〜１５Ｃの幅方向における同じ側に形成されていて、その三つの係止突起３７Ａ〜３７Ｃを、ホルダケース６の表裏方向における裏面側（図６の下側）から順に、第一係止突起３７Ａ、第二係止突起３７Ｂ及び第三係止突起３７Ｃと定義した場合、第一係止突起３７Ａと第二係止突起３７Ｂとの間で裏面側の第一係止部３８Ａが形成され、第二係止突起３７Ｂと第三係止突起３７Ｃとの間で表面側の第二係止部３８Ｂが形成されていることになる。
【００２５】
上記解錠用及び非解錠用の各タンブラ１５Ａ〜１５Ｃは、その係止突起３７Ａ〜３７Ｃ及び係止部３８Ａ，３８Ｂが形成されている方をクリア作動体１６側に向けるようにして各タンブラ挿通孔１８に装填されている。また、基台１９の裏面側における各タンブラ１５（クリアタンブラ１５Ｄを含む。）の対応位置にはバネ収納部３９（図７参照）が形成されていて、この収納部３９に、同タンブラ１５をホルダケース６の表面側（図１の上側）に付勢する戻しバネ４０が収納されている。
【００２６】
従って、解錠用及び非解錠用の各タンブラ１５Ａ〜１５Ｄは、後述する押し込みアーム４９Ｌによってホルダケース６の裏面側へ押し込まれると、その係止部３８Ａ，３８Ｂに位置決めバネ２９の先端掛止部２９Ａが掛止されてその押動操作位置において仮固定されるが、クリアタンブラ１５Ｄによってクリア作動体１６が上方へ移動すると、係止部３８Ａ，３８Ｂと位置決めバネ２９との係合が解かれ、戻しバネ４０によってホルダケース６の表面側に押し出されて元の位置に復帰する。
【００２７】
また、本実施形態では、各タンブラ１５Ａ〜１５Ｃに対して二つの係止部３８Ａ，３８Ｂが表裏方向に離れて形成されているため、当該タンブラ１５Ａ〜１５Ｃをホルダケース６の裏面側へ押し込んだ場合の表裏方向の仮固定位置（従って、元の非押動操作位置を除く。）は合計二段に設定されていることになる。
しかして、本実施形態では、各タンブラ１５Ａ〜１５Ｃを元の非押動操作位置に付勢する戻しバネ４０と、各タンブラ１５Ａ〜１５Ｃにおけるホルダケース６の表裏方向に離れた位置に形成された二つの係止部３８Ａ，３８Ｂと、この各係止部３８Ａ，３８Ｂのいずれかに引っ掛かって当該タンブラ１５Ａ〜１５Ｃを仮固定する位置決めバネ２９とから、タンブラ１５Ａ〜１５Ｃの仮固定位置を前記ホルダケース６の表裏方向における二つの位置に設定する位置決め機構４１が構成されている。
【００２８】
図６に示すように、非解錠用、第一の解錠用及び第二の解錠用の各タンブラ１５Ａ〜１５Ｃのうち、非解錠用のタンブラ１５Ａ（図６（ａ）及び（ｂ））は、ホルダケース６の表裏方向における裏面側（図６の下側）よりの部分に解除溝３６を備えており、この解除溝３６は、当該タンブラ１５Ａが非押動操作位置にある場合にスライダ２０と合致する。
また、第一の解錠用のタンブラ１５Ｂ（図６（ｃ）及び（ｄ））は、ホルダケース６の表裏方向におけるほぼ中央部に解除溝３６を備えており、この解除溝３６は、第一係止部３８Ａに位置決めバネ２９が引っ掛かっている場合にスライダ２０と合致する。更に、第二の解錠用のタンブラ１５Ｃ（図６（ｅ）及び（ｆ））は、ホルダケース６の表裏方向における表面側（図６の上側）よりの部分に解除溝３６を備えており、この解除溝３６は、第二係止部３８Ｂに位置決めバネ２９が引っ掛かっている場合にスライダ２０と合致する。
【００２９】
従って、非解錠用のタンブラ１５Ａについては、これが一回でも押動操作されると、そのロック部３５がスライダ２０の枠内に位置して凹部２６に入り込み、同スライダ２０の凸部２７に係合してスライダ２０の上方移動が規制される。また、この非解錠用のタンブラ１５Ａが元の非押動操作位置にあるときは、その解除溝３６がスライダ２０の枠内に位置し、スライダ２０の凸部２７が当該タンブラ１５Ａと接触しなくなる。
一方、第一の解錠用のタンブラ１５Ｂについては、これが押動操作されなかったり二回押動操作されたりすると、そのロック部３５がスライダ２０の枠内に位置して凹部２６に入り込み、同スライダ２０の凸部２７に係合してスライダ２０の上方移動が規制される。また、この第一の解錠用のタンブラ１５Ｂが一回だけ押動操作されると、その解除溝３６がスライダ２０の枠内に位置し、スライダ２０の凸部２７が当該タンブラ１５Ｂと接触しなくなる（図１及び図２参照）。
【００３０】
他方、第二の解錠用のタンブラ１５Ｃについては、これが押動操作されなかったり一回押動操作されたりすると、そのロック部３５がスライダ２０の枠内に位置して凹部２６に入り込み、同スライダ２０の凸部２７に係合してスライダ２０の上方移動が規制される（図３参照）。また、この第二の解錠用のタンブラ１５Ｃが二回押動操作されると、その解除溝３６がスライダ２０の枠内に位置し、スライダ２０の凸部２７が当該タンブラ１５Ｃ接触しなくなる（図４参照）。
このため、予め設定された第一及び第二の解錠用のタンブラ１５Ｂ，１５Ｃを所定の回数だけ押動操作したときに限り、スライダ２０の上方移動が許容されてロック機構１３が解錠されるが、それ以外の場合（例えば、非解錠用のタンブラ１５Ａを押動操作したり、解錠用のタンブラ１５Ｂ，１５Ｃに対する押動回数を間違った場合等）には、いずれかのタンブラ１５Ａ〜１５Ｃのロック部３５によってスライダ２０の上方移動が規制され、ロック機構１３の施錠状態が維持されるようになっている。なお、図１〜図４においては、タンブラ１５のロック部３５に斜線を付すことにより、同斜線のない解除溝３６との区別を明確にしている。
【００３１】
前記各押しボタン１４は裏面側が開放された有底筒状に形成され、ホルダケース６の表面から抜け止めされた状態で室外側へ出退自在に挿通されている。この各押しボタン１４の内部には復帰バネ４２が充填されていて、この復帰バネ４２のケース内側端は後述する退避部材５１の突起部５２に外嵌されている。このため、押しボタン１４をホルダケース６の裏面側に押し込んでタンブラ２０を押動操作した後は、当該押しボタン１４だけが復帰バネ４２によって元の位置に自動的に復帰するようになっている。
【００３２】
前記クリアタンブラ１５Ｄは、クリア作動体１６を上方移動させて解錠用又は非解錠用のタンブラ１５Ａ〜１５Ｃを元の非押動操作位置に復帰させるものである。図８に示すように、このクリアタンブラ１５Ｄは、幅方向一端部を切欠き形成してなるカム片４３を有し、クリア作動体１６の下端には当該カム片４３が係合する傾斜カム面４４が形成されている。
従って、記号「Ｃ」に対応する押しボタン１４（クリアボタン１４Ｄ）によってクリアタンブラ１５Ｄを押し込むとと、そのカム片４３と傾斜カム面４４の係合によってクリア作動体１６が下降バネ３０に対抗して上方へ移動する。このとき、クリア作動体１６から突設されている各位置決めバネ２９も上方に移動するので、この位置決めバネ２９と各タンブラ１５Ａ〜１５Ｃとの係合が解かれ、押動操作されて仮固定位置になっていた各タンブラ１５Ａ〜１５Ｃが戻しバネ４０によって元の位置に戻ることになる。
【００３３】
図１〜図４に示すように、押しボタン１４の内空部には断面溝型の補強枠材４６が固定され、この補強枠材４６の底部に、押しボタン１４を一回押すごとにタンブラ１５Ａ〜１５Ｃの第一係止突起３７Ａ及び第二係止突起３７Ｂに順次引っ掛かり、これによってそのタンブラ１５Ａ〜１５Ｃの仮固定位置を一つずつ裏面側へ進行させる押し込み部材４７が固定されている。
この押し込み部材４７は、補強枠材４６の底面に固定された固定プレート４８と、この固定プレート４８の両端から下方に延設された板バネ材よりなる左右一対の押し込みアーム４９Ｌ，４９Ｒとを備えており、前記復帰バネ４２の一端部は当該押し込み部材４７の固定プレート４８に当接している。また、各押し込みアーム４９Ｌ，４９Ｒの長手方向（図１の上下方向）中央部には、ホルダケース６の幅方向に広がる段差部５０が形成されている。
【００３４】
左右一対の押し込みアーム４９Ｌ，４９Ｒのうち、左アーム４９Ｌの先端部は、係止突起３７Ａ，３７Ｂに引っ掛け可能となるようにタンブラ１５側にやや屈曲されており、右アーム４９Ｒの先端部は、タンブラ１５から離れる方向にやや屈曲されている。これらの各アーム４９Ｌ，４９Ｒは、これらに負荷がかかっていない自然状態において当該アーム４９Ｌ，４９Ｒ同士が互いに平行となるように、固定プレート４８に対して直角に折り曲げられ、この平行状態のときの両アーム４９Ｌ，４９Ｒ間の距離はタンブラ１５の幅方向寸法よりもやや小さめになっている。
【００３５】
図１〜図５に示すように、基台１９の室外側には、押しボタン１４が押動操作されていない場合において押し込み部材４７を股開き状に広げておくための板状の退避部材５１が重合されている。この退避部材５１の幅方向中央部には、ホルダケース６の表面側に突出する短円柱状の突起部５２が形成されており、この突起部５２に復帰バネ４２の他端部が嵌め込まれている。
この退避部材５１における突起部５２の左右両側には、左右一対のガイド孔５３が形成されており、この各ガイド孔５３に左右の押し込みアーム４９Ｌ，４９Ｒの先端部がそれぞれ挿通されている。各押し込みアーム４９Ｌ，４９Ｒの先端部には、ガイド孔５３に対する抜け止め機能を有する各三角形状の頭部５４（図５参照）が形成されていて、この左右の頭部５４が互いに向き合う対抗面には、ガイド孔５３の縁部に係合して当該押し込みアーム４９Ｌ，４９Ｒを幅方向外側へ押し広げるためのカム突起５５が突設されている。
【００３６】
図１に示すように、このカム突起５５は、押しボタン１４が押動操作されていない状態においては、退避部材５１のガイド孔５３の内部に位置し、このとき、各押し込みアーム４９Ｌ，４９Ｒの先端部はタンブラ１５の通過領域Ｗから外れるようになっている。他方、図２に示すように、押しボタン１４を押動操作すると、上記カム突起５５がホルダケース６の裏面側に移動して退避部材５１のガイド孔５３から離脱し、このとき、左アーム４９Ｌの先端部がタンブラ１５の通過領域Ｗに入っていずれかの係止突起３７Ａ，３７Ｂに引っ掛かるとともに、右アーム４９Ｒの先端部もその通過領域Ｗに入って同タンブラ１５の幅方向縁部に接触するようになっている。
【００３７】
そして、左アーム４９Ｌの先端部が第一及び第二係止突起３７Ａ，３７Ｂのいずれかに引っ掛かった状態から更に押しボタン１４を押動すると、タンブラ１５が左右のアーム４９Ｌ，４９Ｒによって幅方向両側から挟まれながら、左アーム４９Ｌの先端部によってホルダケース６の裏面側に押し込まれ、その後、位置決めバネ２９の先端係止部２９Ａが一つ奥側の係止部３８Ａ，３８Ｂに嵌り込むことにより、当該タンブラ１５が次の仮固定位置に位置決めされるようになっている。
【００３８】
しかして、本実施形態では、各タンブラ１５Ａ〜１５Ｃに形成した第一及び第二係止突起３７Ａ，３７Ｂと、この各係止突起３７Ａ，３７Ｂのいずれかに引っ掛かる押し込み部材４７の左アーム４７Ｌとにより、押しボタン１４を一回押動操作するごとにその押しボタン１４に対応する当該タンブラ１５Ａ〜１５Ｃの仮固定位置を一つずつホルダケース６の裏面側へ進行させる中間機構５６が構成されている。
また、本実施形態の押し込み部材４７は、タンブラ１５Ａ〜１５Ｃを押し出す際にその幅方向両縁部にそれぞれ当接して挟み込む左右一対の押し込みアーム４７Ｌ，４７Ｒを備えていることから、タンブラ１５Ａ〜１５Ｃを幅方向両側から挟み込みながらホルダケース６の裏面側へ移動させる機能をも併有していることになる。
【００３９】
次に、上記構成に係る押しボタン施錠装置１の使用方法と作用を説明する。
まず、「１」〜「８」までの番号が割り当てられている八つの押しボタン１４を用いた解錠番号の組み合わせのうち、例えば、「１，３，３，５，５，６」の解錠番号が設定されているものと仮定する。
この場合には、番号「１」と「６」の押しボタン１４に第一の解錠用のタンブラ１５Ｂが対応し、番号「３」と「５」の押しボタン１４に第二の解錠用のタンブラ１５Ｃが対応し、それ以外の番号「２」、「４」、「７」及び「８」の押しボタン１４には非解錠用のタンブラ１５Ａが対応するよう、各タンブラ１５Ａ〜１５Ｃが基台１９のタンブラ挿通孔１８に装填されている。
【００４０】
そこで、かかる押しボタン施錠装置１を解錠するには、上記した解錠番号の通りに、番号「１」の押しボタンを一回押動操作し、番号「３」及び「５」の押しボタン１４をそれぞれ二回押動操作し、更に、番号「６」の押しボタン１４を一回押押動操作したあと、室外ノブ７を回動すればよい。
すると、すべてのタンブラ１５Ａ〜１５Ｃについて、そのロック部３５とスライダ２０の凸部２７との係合が解かれ、スライダ２０が上方移動可能となる。このため、室外ノブ７の回動が許容され、これを回動することによってドア２のラッチを引き込むことにより、当該ドア２のロックを解除できるようになる。
【００４１】
他方、上記の解錠番号を間違えて押しボタン１４を押動操作した場合、すなわち、次の（１）〜（３）のような場合には、いずれかのタンブラ１５Ａ〜１５Ｃのロック部３５が凸部２７と係合し、これによってスライダ２０の上方移動が規制され、室外ノブ７を回動できないロック状態が維持されることになる。
（１）  非解錠用のタンブラ１５Ａに対応する番号「２」、「４」、「７」及び「８」の押しボタン１４を押動操作した場合。
（２）  第一の解錠用のタンブラ１５Ｂに対応する番号「１」と「６」の押しボタン１４を押動操作しなかったり、これを二回押動操作した場合。
【００４２】
（３）  第二の解錠用のタンブラ１５Ｃ、に対応する番号「３」と「５」の押しボタン１４を押動操作しなかったり、これを一回だけ押動操作した場合。
なお、ユーザー自身が解錠番号を押し間違えたときは、「Ｃ」の押しボタン１４（クリアボタン１４Ｄ）を押すと、クリアタンブラ１５Ｄによってクリア作動体１６が作動し、全タンブラ１５Ａ〜１５Ｃが元の非押動操作位置に戻るので、その後に正しい解錠番号を押し直せばよい。
このように、本実施形態の押しボタン施錠装置１によれば、各タンブラ１５Ａ〜１５Ｃの仮固定位置をホルダケース６の表裏方向における二つの位置に設定するとともに、押しボタン１４を一回押動操作するごとにタンブラ１４Ａ〜１４Ｃの仮固定位置を一つずつホルダケース６の裏面側へ進行させる押し込みアーム４９Ｒを押しボタン１４に設け、しかも、ホルダケース６の裏面側へ二回進行した場合にスライダ２０に対する係合が解除される第二の解錠用のタンブラ１５Ｃを全タンブラ１５中の一部に採用したので、同じ押しボタン１４を二回押動操作して始めてロックが解除される二回押しの解錠操作が可能となっている。
【００４３】
このため、押しボタン１４及びタンブラ１５の個数をそれほど増やさなくても解錠番号の組み合わせを大幅に増大させることができ、ホルダケース６を肥大化させることなく押しボタン施錠装置１のセキュリティを大幅に向上させることができる。
また、本実施形態の押しボタン施錠装置１によれば、各押しボタン１４に設けた押し込み部材（押し込み機構）４７でタンブラ１５Ａ〜１５Ｃを挟み込みながらホルダケース６の裏面側へ移動させるようにしたので、例えば、ユーザーが押しボタン１４の中心部から外れた位置を押動したり、押しボタン１４をホルダケース６の表裏方向に対してやや傾いた方向に押動したような場合であっても、その押動力がタンブラ１５Ａ〜１５Ｃの一部に偏って集中的に伝達されるのが防止される。
【００４４】
このため、押しボタン１４の押動操作に伴うタンブラ１５Ａ〜１５Ｃの拗れが解消され、比較的軽いタッチで押しボタン１４による押動操作を行うことができ、当該押しボタン１４による解錠操作が容易になる。
更に、本実施形態の押しボタン施錠装置１では、押しボタン１４を押動操作していない時には、退避部材５１によって左アーム４９Ｌの先端部がタンブラ１５Ａ〜１５Ｃの通過領域Ｗから外れているので、クリア作動体１６によるクリア動作に伴ってタンブラ１５Ａ〜１５Ｃが元の位置に戻る際に、その係止突起３７Ａ，３７Ｂが左アーム４９Ｌの先端部に引っ掛かることがない。このため、当該タンブラ１５Ａ〜１５Ｃを元の非押動操作位置に確実に戻すことができ、クリア作動体１６によるクリア動作を確実に行うことができる。
【００４５】
また、本実施形態の場合、押しボタン１４を押動操作していない時には、押し込み部材４７を構成する左右の両アーム４９Ｌ，４９Ｒがともに退避部材５１によってタンブラ１５Ａ〜１５Ｃの通過領域Ｗから外れた状態に開脚されており、押しボタン１４を押動操作して始めて両アーム４９Ｌ，４９Ｒの先端部がその通過領域Ｗに入るようになっているので、両アーム４９Ｌ，４９Ｒの先端部がタンブラ１５Ａ〜１５Ｃの幅方向両縁部に接触することに伴う摩耗を最小限に抑えることができる。
【００４６】
図１１は、本発明の第二実施形態に係る押しボタン施錠装置１を例示しており、この押しボタン施錠装置１は集合郵便受け箱５８を構成する個々のメールボックス５９をロックするための施錠装置として採用されている。
同図に示すように、この集合郵便受け箱５８は、マンション等の集合住宅の玄関部分に設置されているもので、各戸の居住者宛の宅配物を収納するための多数のメールボックス５９を縦横に連結することによって構成されている。各メールボックス５９は、前方が開口した金属製のボックス本体６０と、このボックス本体６０の開口部にヒンジ６１を介して開閉自在に枢着されかつ上部にメール投入口６２を有する開閉蓋６３とを備えている。
【００４７】
本実施形態の押しボタン施錠装置１は、上記開閉蓋６３の自由端側の下部に横向きに固定されており、押しボタン１４を解錠操作して始めて開閉蓋６３の裏面側に設けたラッチ６４をボックス本体６０側のラッチ受け（図示せず）から解除できるようになっている。なお、押しボタン施錠装置１の内部機構については、第一実施形態の場合と同様であるから、その詳細な説明を省略する。
このように、本実施形態の押しボタン施錠装置１によれば、二回押しの解錠操作が可能であり、このため、押しボタン１４及びタンブラ１５の個数をそれほど多くしなくても十分に複雑な解錠番号を設定できるので、ホルダケース６を可及的にコンパクトにすることができ、図１１に示すメールボックス５９の施錠装置としても使用することができる。
【００４８】
なお、本発明の内容は特許請求の範囲によって定まり、上記した実施形態によって限定されるものではない。
例えば、上記した実施形態では、二回押しの解錠操作が可能な施錠装置１について説明したが、タンブラ１５の係止突起３７や係止部３８の個数を更に増加するようにすれば、ある特定の押しボタン１４を三回以上押動操作して始めて解錠することができる押しボタン施錠装置１を得ることができる。
【００４９】
【発明の効果】
以上説明したように、本発明によれば、押しボタンの押動操作に伴うタンブラの拗れを解消することができるので、比較的軽いタッチで押しボタンによる押動操作を行うことができ、押しボタンによる解錠作業が容易になる。
【図面の簡単な説明】
【図１】  第一の解錠用のタンブラに対応する位置で切断した場合の押しボタン施錠装置の横断面図である（押しボタンを押動操作する前の状態）。
【図２】  第一の解錠用のタンブラに対応する位置で切断した場合の押しボタン施錠装置の横断面図である（押しボタンを押動操作した状態）。
【図３】  第二の解錠用のタンブラに対応する位置で切断した場合の押しボタン施錠装置の横断面図である（押しボタンを押動操作する前の状態）。
【図４】  第二の解錠用のタンブラに対応する位置で切断した場合の押しボタン施錠装置の横断面図である（押しボタンを二回押動操作した後の状態）。
【図５】  タンブラの対応部分を拡大して示した押しボタン施錠装置の縦断面図である。
【図６】  （ａ）は非解錠用のタンブラの正面図、（ｂ）は非解錠用のタンブラの側面図、（ｃ）は第一の解錠用のタンブラの正面図、（ｄ）は第一の解錠用のタンブラの側面図、（ｅ）は第二の解錠用のタンブラの正面図、（ｆ）は第二の解錠用のタンブラの側面図である。
【図７】  ドアに装着した状態の押しボタン施錠装置の縦断面図である。
【図８】  内部機構を示すための押しボタン施錠装置の正面断面図である。
【図９】  （ａ）は押しボタン施錠装置の正面図、（ｂ）は押しボタン施錠装置の左側面図である。
【図１０】  （ｃ）は押しボタン施錠装置の平面図、（ｄ）は押しボタン施錠装置の背面図である。
【図１１】  本発明の押しボタン施錠装置を採用したメールボックスと集合郵便受け箱を示す斜視図である。
【符号の説明】
１      押しボタン施錠装置
６      ホルダケース
１４      押しボタン
１５      タンブラ
１５Ａ    非解錠用のタンブラ
１５Ｂ    第一の解錠用のタンブラ
１５Ｃ    第二の解錠用のタンブラ
２０      スライダ
４７      押し込み部材（押し込み機構）
４９Ｌ    押し込みアーム（左側）
４９Ｒ    押し込みアーム（右側）
５１      退避部材
Ｗ      通過領域
【図１】
0003764864.tif 000002
【図２】
0003764864.tif 000003
【図３】
0003764864.tif 000004
【図４】
0003764864.tif 000005
【図５】
0003764864.tif 000006
【図６】
0003764864.tif 000007
【図７】
0003764864.tif 000008
【図８】
0003764864.tif 000009
【図９】
0003764864.tif 000010
【図１０】
0003764864.tif 000011
【図１１】
0003764864.tif 000012